(57)【要約】【課題】本体を簡単にしかも安全に天井に吊下げて固定できる空気調和機の吊下装置を提供する。【解決手段】本体１０の左右両側面の前後にそれぞれ水平に突出する固定具１１、１１’と、前記固定具の後方側を上端から垂直に挿入して後方にガイドするＬ字状の第１ガイド溝２２、２２’と前方側の固定具を前端より挿入して後方にガイドする第２ガイド溝２３、２３’とを備える垂直板２０ａ、２０’と、同垂直板の前後に前記本体の外側方向に直角に折曲して水平に延出され、天井より垂下された複数の吊りボルト３０をそれぞれ挿通する挿通孔２１を備える一対の水平板２０ｂ、２０ｃ（２０ｂ’、２０ｃ’）とでなる左右一対の吊り金具２０、２０’と、前記吊りボルトに螺合され前記水平板を上下より挟持する一対のナット３１、３２とで構成してなる空気調和機の吊下装置としている。【選択図】  図１
2004184046.tif 000002
【特許請求の範囲】
【請求項１】
本体を天井に吊下げて設置するための空気調和機の吊下装置であって、前記本体の左右両側面の前後にそれぞれ水平に突出する固定具と、同後側の固定具を上端から垂直に挿入して後方にガイドするＬ字状の第１ガイド溝と前側の固定具を前端より挿入して後方にガイドする第２ガイド溝とを備える垂直板と、同垂直板の前後に前記本体の外側方向に直角に折曲して水平に延出され、天井より垂下された吊りボルトをそれぞれ挿通する挿通孔を備える一対の水平板とでなる左右一対の吊り金具と、前記吊りボルトに螺合され前記水平板を上下よりそれぞれ挟持する一対のナットとで構成してなることを特徴とする空気調和機の吊下装置。
【請求項２】
前記垂直板の前端から前記第１ガイド溝の上端までの長さを、前記固定具の前後の間隔より短い長さとしてなることを特徴とする請求項１記載の空気調和機の吊下装置。
【請求項３】
前記固定具が、水平に突出するボルトと、同ボルトに螺合されたナットとでなることを特徴とする請求項１記載の空気調和機の吊下装置。
【請求項４】
前記挿通孔が、前記水平板の一端を切欠した切欠部でなることを特徴とする請求項１記載の空気調和機の吊下装置。
【請求項５】
前記第２ガイド溝の後部に、段差部を設けてなることを特徴とする請求項１記載の空気調和機の吊下装置。
【請求項６】
前記垂直板の上端から前記段差部までの長さを、同垂直板の上端から前記第１ガイド溝の水平溝までと同じ長さとしてなることを特徴とする請求項１及び請求項５記載の空気調和機の吊下装置。
【発明の詳細な説明】
【０００１】
【発明の属する技術分野】
本発明は、本体を天井に吊下げて設置するための空気調和機の吊下装置に関する。
【０００２】
【従来の技術】
従来の空気調和機の吊下装置は、図５に示すように、天井より垂下された４本の吊りボルト３０に予めナット３１、３２を上下に取り付けておき、本体１０に設けている４個の吊り金具２０に前記４本の吊りボルト３０に取り付けた下側のナット３２に引っ掛け、同ナット３２を回すことにより本体の高さを調節して水平にした後、上側のナット３１を締めて固定するようにしていた。
しかし、この構成では、本体１０を天井に吊下げる際、本体１０に設けている４個の吊り金具２０を前記４本の吊りボルト３０に取り付けた下側のナット３２に同時に引っ掛けなければならず、作業者一人では容易でなく、また、高所での作業となるため、本体を落下させないように十分な注意を払わなければならないという問題があった。
また、４隅に貫通孔２１ａが設けられた略矩形の平板部２１と、その左右両端に連続して一体に形成される係止部２２とを有している吊金具２０を、天井に固定した吊ボルト３２を前記貫通孔２１ａに貫通してナット３３を螺合することにより固定し、左右の側板部１４に突出して形成される固定部１７が２つづつ設けられた本体を、前記固定部１７を前記係止部２２に係止することにより前記吊金具２０に固定するようにしているものもある（例えば、特許文献１参照。）。
しかし、この構成では、本体を吊金具２０に固定するには、やはり、本体の左右の側板部１４に突出して形成される４つの固定部１７をこれに対応する吊金具２０の係止部２２に同時に係止しなければならず、前記作業者一人では容易でなく、また、高所での作業となるため、本体を落下させないように十分な注意を払わなければならないという問題の解決にはならない。
【０００３】
【特許文献１】
特開２００２−１３０７９６号公報（第３−４頁、第１図）
【０００４】
【発明が解決しようとする課題】
本発明は以上述べた問題点を解決し、本体を作業者一人でも簡単にしかも安全に天井に吊下げ、固定できる空気調和機の吊下装置を提供することを目的としている。
【０００５】
【課題を解決するための手段】
本発明は上述の課題を解決するため、本体を天井に吊下げて設置するための空気調和機の吊下装置であって、前記本体の左右両側面の前後にそれぞれ水平に突出する固定具と、同後側の固定具を上端から垂直に挿入して後方にガイドするＬ字状の第１ガイド溝と前側の固定具を前端より挿入して後方にガイドする第２ガイド溝とを備える垂直板と、同垂直板の前後に前記本体の外側方向に直角に折曲して水平に延出され、天井より垂下された吊りボルトをそれぞれ挿通する挿通孔を備える一対の水平板とでなる左右一対の吊り金具と、前記吊りボルトに螺合され前記水平板を上下よりそれぞれ挟持する一対のナットとで構成してなる空気調和機の吊下装置としている。
【０００６】
前記垂直板の前端から前記第１ガイド溝の上端までの長さを、前記固定具の前後の間隔より短い長さとした空気調和機の吊下装置としている。
【０００７】
前記固定具が、水平に突出するボルトと、同ボルトに螺合されたナットとでなる空気調和機の吊下装置としている。
【０００８】
前記挿通孔が、前記水平板の一端を切欠した切欠部でなる空気調和機の吊下装置としている。
【０００９】
前記第２ガイド溝の後部に、段差部を設けてなる空気調和機の吊下装置としている。
【００１０】
前記垂直板の上端から前記段差部までの長さを、同垂直板の上端から前記第１ガイド溝の水平溝までと同じ長さとした空気調和機の吊下装置としている。
【００１１】
【発明の実施の形態】
以下、図面に基づいて本発明による空気調和機の吊下装置を詳細に説明する。図１は本発明による空気調和機の吊下装置の一実施例を示す要部分解斜視図、図２は本体の要部拡大図である。
図１及び図２に示す本体１０は、箱体の底面後方に備える図示しない吸込口と前面に備える吹出口とを結ぶ空気通路に、図示しない送風機と熱交換器を設けて構成されている。
この本体１０の左右両側面の前後にはボルト１１ｂ、１１ｃとナット１１ａとでなる各一対の固定具１１、１１’がそれぞれ設けられている。
【００１２】
左右一対の吊り金具２０、２０’は、前記本体１０を天井に吊下げるための金具である。
この吊り金具２０（２０’）は、前記本体１０の側面に平行な垂直板２０ａ（２０ａ’）と，同垂直板２０ａ（２０ａ’）の前後に、前記本体１０の外側方向に直角に折曲して水平に設けられた一対の水平板２０ｂ、２０ｃ（２０ｂ’、２０ｃ’）とで構成されている。
前記垂直板２０ａ（２０ａ’）には前記後方側の固定具１１を上端から垂直に挿入して後方、水平にガイドするＬ字状の第１ガイド溝２２（２２’）と、前記前方側の固定具１１’を前端より挿入して後方、水平にガイドする第２ガイド溝２３（２３’）とを設けている。
また、前記第２ガイド溝２３（２３’）の後部には段差部２４（２４’）が設けられ、同段差部２４（２４’）に前記固定具１１’が仮固定されるようになっている。
また、前記水平板２０ｂ、２０ｃ（２０ｂ’、２０ｃ’）には天井より垂下された吊りボルト３０を水平方向にそれぞれ挿入する切欠部２１を有し、同切欠部２１に各吊りボルト３０を挿通し、同吊りボルト３０の上下に予め螺合されたナット３１、３２により同水平板２０ｂ、２０ｃ（２０ｂ’、２０ｃ’）をそれぞれ挟持して固定するようになっている。
前記垂直板２０ａ（２０ａ’）前端から前記第１ガイド溝２２（２２’）の上端（挿入口）までの長さを前記後方の固定具１１と前方の固定具１１’との間隔より短い長さとすることにより、前方の固定具１１’を第２ガイド溝２３（２３’）に挿入するより先に、後方の固定具１１を第１ガイド溝２２（２２’）に挿入することができるようになっている。
また、前記垂直板２０ａ（２０ａ’）の上端から前記段差部２４（２４’）までの長さが、同垂直板２０ａ（２０ａ’）上端から前記第１ガイド溝２２（２２’）の水平溝までの長さと同じになるようにしているので、吊り金具２０（２０’）を水平に調節することにより、本体１０を吊り金具２０（２０’）に固定した後に水平度を調節する必要がない。
【００１３】
以上の構成において、つぎにその作業手順を説明する。
図３は本発明による空気調和機の吊下装置の一実施例による吊下げ作業手順を説明する図で、吊り金具を吊りボルトに固定した状態を示す側面図であり、
図４は本発明による空気調和機の吊下装置の一実施例における、本体を吊り金具に固定する作業手順を説明する説明図である。
図３に示すように、天井５０から４本の吊りボルト３０が垂下されており、この吊りボルト３０には上述したようにナット３１、３２が上下に予め螺合されている。
まず、図３に示すように、前記一対の吊り金具２０、２０’の水平板２０ｂ、２０ｃ（２０ｂ’、２０ｃ’）に備える切欠部２１に前記吊りボルト３０のナット３１とナット３２との間を挿通し、前記下側のナット３２を回すことにより、吊り金具２０、２０’が水平になるように調節し、上側のナット３１を締めることにより、一対の吊り金具２０、２０’を４本の吊りボルト３０に水平に固定する。
【００１４】
次に、図４（ａ）に示すように、本体１０の左右後方の固定具１１のナット１１ａを外れない程度に緩め、同本体１０を一旦、前記一対の吊り金具２０、２０’より上方に持ち上げてから前記一対の吊り金具２０、２０’の間に下ろして、前記左右後方の固定具１１のボルト１１ｂを前記一対の吊り金具２０、２０’の第１ガイド溝２２、２２’にそれぞれ挿入する。
この時点で前記本体１０を手放したとしても、本体１０の左右後方の固定具１１が前記一対の吊り金具２０、２０’に吊り下げられるので、落下の危険がなくなる。
【００１５】
次に、図４（ｂ）に示すように、本体１０の左右前方の固定具１１’のナット１１ａを外れない程度に緩め、本体１０の前側を持ち上げて、前記左右前方の固定具１１’のボルト１１ｂを前記一対の吊り金具２０、２０’の第２ガイド溝２３、２３’にそれぞれ挿入して後方にスライドし、図４（ｃ）に示すように、前記第２ガイド溝２３、２３’の段差部２４（２４’）に前記固定具１１’を仮固定する。
そして、前記左右後方の固定具１１のボルト１１ｂと、前記左右前方の固定具１１’のボルト１１ｃとにそれぞれ螺合されているナット１１ａを締め付けることにより、本体１０が前記一対の吊り金具２０、２０’に固定される。
【００１６】
以上説明したように、まず、一対の吊り金具２０、２０’を４本の吊りボルト３０に水平に固定するので、本体１０を固定する前に水平度を簡単に調節することができ、つぎに、本体１０の側面後方を水平に保たれた前記一対の吊り金具２０、２０’の後方に吊り下げた後、本体１０の側面前方を水平に保たれた前記一対の吊り金具２０、２０’の前方に吊下げて固定するので、一人の作業者でも本体１０を一対の吊り金具２０、２０’に安全且つ簡単に固定することができる。
【００１７】
【発明の効果】
以上説明したように、本発明による空気調和機の吊下装置によれば、一対の吊り金具を４本の吊りボルトに水平に固定するので、本体を固定する前に水平度を簡単に調節することができ、つぎに、本体の側面後方を前記一対の吊り金具の後方に吊り下げた後、本体の側面前方を水平に保たれた前記一対の吊り金具の前方に吊下げて固定するので、一人の作業者でも本体を一対の吊り金具に安全且つ簡単に固定することができる空気調和機の吊下装置を提供することができる。
【図面の簡単な説明】
【図１】本発明による空気調和機の吊下装置の一実施例を示す要部分解斜視図である。
【図２】本発明による空気調和機の吊下装置の一実施例における本体の要部拡大図である。
【図３】本発明による空気調和機の吊下装置の一実施例による吊下げ作業手順を説明する図で、吊り金具を吊りボルトに固定した状態を示す側面図である。
【図４】本発明による空気調和機の吊下装置の一実施例における、本体を吊り金具に固定する作業手順を説明する説明図である。
【図５】従来の空気調和機の吊下装置を示す要部分解斜視図である。
【符号の説明】
１０  本体
１１，１１’  固定具
１１ａ  ナット
１１ｂ、１１ｃ  ボルト
２０、２０’  吊り金具
２０ａ（２０ａ’）  垂直板
２０ｂ、２０ｃ（２０ｂ’、２０ｃ’）  水平板
２１  切欠部
２２（２２’）  第１ガイド溝
２３（２３’）  第２ガイド溝
２４（２４’）  段差部
３０  吊りボルト
３１、３２  ナット
【図１】
2004184046.tif 000003
【図２】
2004184046.tif 000004
【図３】
2004184046.tif 000005
【図４】
2004184046.tif 000006
【図５】
2004184046.tif 000007